(57)【要約】  外部に見える選択されたメッセージを表面上に含む外部に見えるケーシングを有する、モバイル通信装置を備えた通信システムである。外部に見える選択されたメッセージは、選択的に除去可能であるため、ユーザはメッセージを常時表示させる必要がなく、必要なときにのみ表示することができる。外部に見える選択されたメッセージが、モバイル通信装置から外部に見えていないことを判断し、報告する通知機構を備えることができる。ユーザは外部に見える選択されたメッセージ表示の報酬を受け取ることができ、通信システムは表示時間および／または表示の有効性に関してモニター可能であり、それに従って報酬が調整される。【選択図】図１
2020504364.tif 000002
【特許請求の範囲】
【請求項１】
外部に見える選択されたメッセージをその表面に含む外部に見えるケーシングを有する、モバイル通信装置を備えた通信システムであって、前記通信システムはさらに通知機構を備えており、当該通知機構は、前記モバイル通信装置に対して前記外部に見える選択されたメッセージが外部に見えないように位置決めすることが、第三者である出資者に分離の通知を送信するように、前記通知機構を起動するように構成されていることを特徴とする通信システム。
【請求項２】
前記外部に見える選択されたメッセージが外部に見えないように位置決めすることが、前記外部に見えるケーシングを前記モバイル通信装置から分離することを含むことを特徴とする請求項１に記載の通信システム。
【請求項３】
前記通信システムは、前記外部に見える選択されたメッセージが前記モバイル通信装置によって表示された表示時間の長さを記録するように構成された記録機構をさらに備えることを特徴とする請求項１から２のいずれか一項に記載の通信システム。
【請求項４】
前記通信システムは、前記外部に見える選択されたメッセージが前記モバイル通信装置またはケーシングに取り付けられている時間の長さを記録するように構成された記録機構をさらに備えることを特徴とする請求項１から２のいずれか一項に記載の通信システム。
【請求項５】
前記記録機構は前記モバイル通信装置内に配置され、前記通信システムはさらに、表示時間の長さを前記第三者である出資者に送信することを特徴とする請求項４に記載の通信システム。
【請求項６】
前記表示時間の長さは、前記外部に見える選択されたメッセージが、前記モバイル通信装置に関して外部に見える時間の長さを決定することによって、決定されることを特徴とする請求項５に記載の通信システム。
【請求項７】
前記表示時間の長さは、前記外部に見えるケーシングが前記モバイル通信装置に取り付けられている時間の長さを決定することによって決定されることを特徴とする請求項６に記載の通信システム。
【請求項８】
前記通信システムは、前記モバイル通信装置のユーザが、前記外部に見える選択されたメッセージを外部に表示することに対する報酬を受け取るように構成された報酬機構をさらに備えることを特徴とする請求項１から７のいずれか一項に記載の通信システム。
【請求項９】
前記通信システムは、前記外部に見える選択されたメッセージを含む共有が、前記モバイル通信装置と第三者のモバイル通信装置との間で開始または発生したとき、前記モバイル通信装置のユーザが報酬を受け取るように構成された報酬機構をさらに備えることを特徴とする請求項１から８のいずれか一項に記載の通信システム。
【請求項１０】
前記共有が、前記第三者である出資者から前記第三者のモバイル通信装置のユーザへの製品またはサービスのオファーを含むことを特徴とする請求項９に記載の通信システム。
【請求項１１】
前記通信システムは、前記通知の起動によって前記ユーザへの前記報酬が減額されるように構成されることを特徴とする請求項１０に記載の通信システム。
【請求項１２】
前記外部に見えるケーシングは、前記モバイル通信装置に取り付けられた、取り外し可能な補助的ケーシングであることを特徴とする請求項１から１１のいずれか一項に記載の通信システム。
【請求項１３】
前記外部に見えるケーシングは、前記モバイル通信装置に取り付けられた、恒久的な補助的ケーシングであることを特徴とする請求項１から１２のいずれか一項に記載の通信システム。
【請求項１４】
前記外部に見えるケーシングは、前記モバイル通信装置の外側の筐体であることを特徴とする請求項１から１３のいずれか一項に記載の通信システム。
【請求項１５】
モバイル通信装置を備えた通信システムであって、外部に見える選択されたメッセージが、前記モバイル通信装置のディスプレイ要素上に一時的に表示され、前記通信システムがさらに通知機構を備えており、前記通知機構は、ディスプレイの画面上への前記外部に見える選択されたメッセージの表示の停止が、前記通知機構に第三者である出資者に対して前記停止の通知を送信するように、前記通知機構を起動するように構成されていることを特徴とする通信システム。
【請求項１６】
前記通信システムは、前記外部に見える選択されたメッセージが前記表示スクリーン上に表示された表示時間の長さを記録するように構成された記録機構をさらに備え、前記通信システムは、表示時間の長さを前記第三者である出資者に伝送することを特徴とする請求項１５に記載の通信システム。
【請求項１７】
前記停止は、前記外部に見える選択されたメッセージを、前記外部に見える表示画面から除去することによって実施されることを特徴とする請求項１５または１６に記載の通信システム。
【請求項１８】
前記記録機構は、前記モバイル通信装置内部に配置されるか、前記モバイル通信装置に取り付けられることを特徴とする請求項１６から１７のいずれか一項に記載の通信システム。
【請求項１９】
前記通信システムは、前記モバイル通信装置のユーザが、前記外部に見える選択されたメッセージの前記表示時間の長さに対応する報酬を受け取るように構成された報酬機構をさらに備えることを特徴とする請求項１５から１８のいずれか一項に記載の通信システム。
【請求項２０】
前記通信システムは、前記外部に見える選択されたメッセージを含む共有が、前記モバイル通信装置と第三者のモバイル通信装置との間で開始または発生されるとき、前記モバイル通信装置のユーザが報酬を受け取るように構成された報酬機構をさらに備えることを特徴とする請求項１から１９のいずれか一項に記載の通信システム。
【請求項２１】
前記共有は前記第三者である出資者から、前記第三者のモバイル通信装置のユーザへの製品またはサービスのオファーを含むことを特徴とする請求項２０に記載の通信システム。
【請求項２２】
前記通信システムは、前記通知の起動により、前記ユーザへの前記報酬を減額するように構成されることを特徴とする請求項１５から２１のいずれか一項に記載の通信システム。
【請求項２３】
前記モバイル通信装置は、モバイルスマートフォン、タブレット、またはラップトップコンピュータのうちの少なくとも１つであることを特徴とする請求項１から２２のいずれか一項に記載の通信システム。
【請求項２４】
前記外部に見える選択されたメッセージは、ロゴ、ブランド名、ブランドメッセージ、ＵＲＬもしくはＵＰＣコード、またはサービスもしくは製品のオファーのうちの少なくとも１つを含むことを特徴とする請求項１から２３のいずれか一項に記載の通信システム。
【請求項２５】
外部に見える選択されたメッセージは、個々のモバイル通信装置を、第三者である出資者に対して特定する、個別化されたシンボルを含むことを特徴とする請求項１から２３のいずれか一項に記載の通信システム。
【請求項２６】
少なくとも、前記外部に見える選択されたメッセージの表示時間の長さが収集および記録されることを特徴とする請求項１から２５のいずれか一項に記載の通信システム。
【請求項２７】
前記ユーザのモバイル通信装置からの、少なくとも表示データ、接続／切断データなどが、集積されたデータを提供するために収集および集積されることを特徴とする請求項２６に記載の通信システム。
【請求項２８】
集積されたデータは前記第三者である出資者に伝送されることを特徴とする請求項２７に記載の通信システム。
【請求項２９】
集積されたデータはリアルタイムで前記第三者である出資者に伝送されることを特徴とする請求項２８に記載の通信システム。
【請求項３０】
集積されたデータは事前に設定した間隔、またはランダムな間隔で前記第三者である出資者に伝送されることを特徴とする請求項２８に記載の通信システム。
【請求項３１】
前記第三者である出資者は、前記集積されたデータを外部の第三者に伝送することを特徴とする請求項２８から３０のいずれか一項に記載の通信システム。
【請求項３２】
集積されたデータは、前記モバイル通信装置または前記モバイル通信装置のユーザに対する広告を標的とすることと共に使用するように構成されることを特徴とする請求項２８から３１のいずれか一項に記載の通信システム。
【請求項３３】
第三者である出資者は、前記ユーザのモバイル通信装置または前記モバイル通信装置のユーザに、前記外部に見える選択されたメッセージの視認性を確認するよう依頼することを特徴とする請求項１から３２のいずれか一項に記載の通信システム。
【請求項３４】
作成する方法であって、前記方法が請求項１から３３のいずれか一項に記載の前記通信システムを作成することを含むことを特徴とする方法。
【請求項３５】
使用する方法であって、前記方法は請求項１から３３のいずれか一項に記載の前記通信システムを使用することを含むことを特徴とする方法。
【発明の詳細な説明】
【技術分野】
【０００１】
本出願は２０１６年１１月１８日に出願された同時係属の米国仮特許出願６２／４２４，０３５の権利を主張するものであり、参照により全体が本明細書に組み込まれる。
【背景技術】
【０００２】
例えば、販売促進製品の広告、チームまたはコミュニティの主旨を示すなどのメッセージの伝達は、様々なメディアの関心事であった。しかし、オンデマンドメディアで、携帯電話やタブレットなどのようなユビキタスに近い（ｎｅａｒ−ｕｂｉｑｕｉｔｏｕｓ）モバイル通信装置の現代では、メッセージを切断する潜在顧客や単純にメッセージを拒否する潜在顧客に、このようなメッセージを伝達することが、特により困難になってきている。
【発明の概要】
【発明が解決しようとする課題】
【０００３】
従って、メッセージ、特に、モバイル通信装置に伝達されるメッセージの伝達に関する改良された方法の必要性が改善されないままとなっている。
【０００４】
本システムおよび方法は、これらの問題を改善し、および／または他の優位性を提供する。
【課題を解決するための手段】
【０００５】
本明細書の装置、システム、および方法などは、携帯電話、ｉＰａｄ（登録商標）などのタブレットなどといった、ほとんどの人が所有する一見ユビキタスなモバイル通信装置を有利に使用する、独自のメッセージ伝達の取り組みを提供する。例えば、本装置、システム、方法などは、このようなモバイル通信装置を、外部から見えるメッセージシステムへと変化させ、次に、このような装置のユーザ（「ユーザ」は装置を所有し、実際に装置を扱う人物か、または、報酬を受け取るように指定された人物または集団）に、このようなメッセージの表示に関する広告主または他のスポンサー（つまり、第三者である出資者（ｔｈｉｒｄｐａｒｔｙ  ｓｐｏｎｓｏｒ））からの報酬を受け取らせる。このように、本装置、システムおよび方法などは、一方では広告主、メッセージ発信者およびメッセンジャー（伝達者）が、他方ではモバイル通信装置のユーザが、総じてメリットを享受できるような互いに利益を受ける状況を提供する。
【０００６】
本明細書中の例示的システムのある実施形態では、通信システムは、選択的に除去可能な、外部に見える選択されたメッセージを表面に含むケーシング（ｃａｓｉｎｇ、外装物）やディスプレイ画面といった、外部に見える表示（ｄｉｓｐｌａｙ）を有するモバイル通信装置を備えている。外部に見える選択されたメッセージは選択的に除去可能であるため、ユーザは当該メッセージを常時表示させる必要がなく、必要なときにのみ表示することができる。通信システムは、外部に見える選択されたメッセージが、モバイル通信装置から外部に見えていないことを判断できるように構成された通知機構（ａｌｅｒｔ  ｍｅｃｈａｎｉｓｍ）をさらに備えることが可能である。その場合、通知機構は、表示された画像の第三者の出資者１２のような、分離（ｓｅｐａｒａｔｉｏｎ）の通知を第三者に送信する。上記はバッチ処理またはリアルタイム処理が可能である。ユーザは外部に見える選択されたメッセージを表示する報酬を受け取ることができ、上記は表示時間および／または表示の有効性に関してモニター可能であり、それに従って報酬が調整される。
【０００７】
以下の発明の詳細な説明、および添付図面を含む、上記の、および他の態様、特徴および実施形態が本明細書中に記載されている。明示的に別段の定めをした場合を除き、すべての実施形態、態様、特徴などは、所望の方法で混合、適用、組み合わせ、および順序の変更がなされてもよい。さらに、システム、装置、方法および他の情報を検討した、「関連出願の相互参照」に含まれる複数の引用文献が本明細書中に記載されている。このような引用文献が本明細書中のどこに記載されているかに関わらず、すべての引用文献は参照することにより、全体として、およびすべての教示および開示が本書に組み込まれる。
【図面の簡単な説明】
【０００８】
【図１】図１は、本明細書中のシステムの、複数の例示的要素の間で想定される接続の、ある実施形態を示した概略図を表している。
【０００９】
【図２】図２は、本明細書中で検討される選択されたメッセージの想定される配置場所を示した、ロゴ表示システムの図を表している。
【００１０】
【図３】図３は、本明細書中のシステム、方法などを実施するための１つの実施形態のフロー図を表している。
【発明を実施するための形態】
【００１１】
本システム、装置および方法などは、ロゴなどのメッセージをモバイル通信装置に伝達する手段を提供する。
【００１２】
本方法は、モバイル通信装置上に、外部に見える選択されたメッセージを、例えば、表示、接続、挿入または付着するなどして取り付けることを備える。上記は、例えば、スマートフォン、ｉＰａｄ（登録商標）、タブレットコンピュータ、またはラップトップコンピュータなどのモバイル通信装置の、外部に見えるケーシングおよび／またはディスプレイ画面のいずれか、または両方を介して実現可能である。外部に見えるケーシングへの取付けの例において、このような取付けは、永久的または非永久的な糊、磁石、ベルクロ（登録商標）のような面ファスナー、クリップのような機械的連結具、または脱着可能な外部に見えるケーシング上への焼き付けまたはエッチング、および／または永久的または非永久的な外部に見える選択されたメッセージを備えた外側ケーシングをモバイル通信装置に取り付けるように構成された外側ケーシングを提供することにより実現される。外部に見えるケーシングは、典型的にはモバイル通信装置の外側の筐体であるが、例えば、このような外側の筐体上のステッカーまたは転写シールとすることができ、または、取り外し可能な、凹凸のある、保護用外側ケーシングとして構成された、補助的な外側ケーシングであってもよい。上記はアフターサービス（補修部品）市場で利用可能であることが多く、例えば、モバイル通信装置の一部、または全体を包囲する伸縮性ケーシング上にスナップ留めするために、モバイル通信装置に取り外し可能に追加されてもよい。
【００１３】
図に戻ると、図１は本明細書中のシステムの複数の例示的要素の間で想定される接続の、１つの実施形態を示した概略図を表している。図２は本明細書中で検討される選択されたメッセージの想定される配置場所を示したロゴ表示システムの図を表している。これらの図において、通信システム２は、外部に見える選択されたメッセージ８を表面に含むことのできる、外部に見えるケーシング６を有するモバイル通信装置４を備えることが可能である。また、通信システム２は、モバイル通信装置４に対して、外部に見える選択されたメッセージ８を外部に見えないように位置決めすることで、通知機構１０に第三者の出資者１２に向けて分離の通知を送信させるように起動するように構成された通知機構１０をさらに備えてもよい。
【００１４】
外部に見える選択されたメッセージ８の位置は、外部から見えないようにすることができ、また、当該配置はモバイル通信装置４から外部に見えるケーシング６を分離することを含むことができる。通信システム２は、外部に見えるメッセージが、モバイル通信装置４によって表示される表示時間の長さ１６を記録するように構成された記録機構１４をさらに備えてもよい。記録機構１４はモバイル通信装置４内部に配置されるか、または当該装置に取り付けることができ、さらに、通信システム２は表示時間の長さ１６を第三者１２に送信してもよい。
【００１５】
表示時間の長さ１６は、モバイル通信装置４に対して外部に見える選択されたメッセージ８が外部から見える状態にあった時間の長さを決定することにより、または、外部から見えるケーシング６がモバイル通信装置４に取り付けられた時間の長さを決定することにより決定することができる。または、外部に見えるように選択されたメッセージ８を表示するディスプレイ画面３２が好適に動作した時間の総量、および、好適には、例えばモバイル通信装置４を保持するケースの閉鎖もしくはモバイル通信装置４の周囲光もしくは向きを検知することによって目視できる時間の長さに関連づけて決定することができる。
【００１６】
通信システム２は、モバイル通信装置４のユーザ、または他の指定されたパーティ（ｐａｒｔｙ、関係者）５４が、外部に見える選択されたメッセージ８を外部に表示する（２２）ことの報酬１８を受け取るように構成された報酬機構をさらに備えてもよい。通信システム２は、通知を起動することにより、ユーザ指定の相手方５４（ｏｔｈｅｒ  ｐａｒｔｙ）などのユーザ４０に対する報酬１８を減額することができるように構成することができる。
【００１７】
外部に見えるケーシング６は、モバイル通信装置４に取り付けられた、取り外し可能な補助的なケーシング２６（図２）か、またはモバイル通信装置４の外側の筐体３０であってもよい。
【００１８】
別の態様では、通信システム２はモバイル通信装置４を含んでもよく、外部に見える選択されたメッセージ８は、モバイル通信装置４のディスプレイ画面３２またはケーシングの背面のディスプレイ画面５２（図２）に一時的に表示されてもよく、通信システム２は、ディスプレイ画面３２上の外部に見える選択されたメッセージ８の表示を停止することで、通知機構１０に、第三者１２に対して当該停止の通知を送信するよう動作させるように構成された通知機構１０をさらに備えてもよい。
【００１９】
通信システム２は、外部に見える選択されたメッセージ８がディスプレイ画面３２に表示される表示時間の長さ１６を記録するように構成された記録機構１４をさらに備えてもよく、通信システム２は表示時間の長さ１６を第三者１２に伝送する。外部に見えるディスプレイ画面３２から外部に見える選択されたメッセージ８を除去することで、停止を行うことができ、記録機構１４は、モバイル通信装置４内に配置されるか、または取り付けられてもよい。通信システム２は、モバイル通信装置４のユーザ４０、または他のパーティ５４が、外部に見える選択されたメッセージ８の表示時間の長さ１６に対する報酬を受領するように構成された報酬機構２０をさらに備えてもよい。通信システム２は通知を作動することでユーザ４０への報酬１８を減額することができるように構成されてもよい。モバイル通信装置４は、モバイルスマートフォン３４、タブレット３６またはラップトップコンピュータ３８のうち少なくとも１つであってもよい。モバイルスマートフォン３４（または他のモバイル通信装置）は通常、前面５６および背面５８を有する。
【００２０】
外部に見える選択されたメッセージ８は、ロゴ４２、ブランド名４４、ＱＲコード（登録商標）またはＵＰＣコード４８（または他のタイプのコード）、またはＵＲＬ４６のうち、少なくとも１つを含んでもよい。外部に見える選択されたメッセージ８は、第三者１２に対して個々のモバイル通信装置４を特定する個別のシンボル５０を含んでもよい。
【００２１】
通信システム２は、必要に応じて共有機構（シェアリング機構、ｓｈａｒｉｎｇ）を備えてもよい。当該共有機構は、ユーザのモバイル通信装置４から入手されたオファー（提案、申し出）が、このような共有機構の下で第三者のモバイル通信装置６２および／または第三者のユーザによって履行（ｒｅｄｅｅｍ）されたとき、「共有（ｓｈａｒｅ）」６４を獲得または取得したことへの手数料（ｃｏｍｍｉｓｓｉｏｎ）として、モバイル通信装置４のユーザ４０に対する報酬１８と合わせたユーザ４０または他の指定されたパーティへの報酬１８の支払いを含んでもよい。オファーの履行または他の承諾が、第三者である出資者および／または広告主のウェブサイト６６を通じて実施されてもよい。このような「共有（ｓｈａｒｅ）」は手動（例えば、第三者が単純に外部に見える選択されたメッセージ８を見て、次に１回限りのコードまたはクーポンを入力または起動するなどの追跡可能な行動を行う）または自動で実施されてもよい。自動的な「共有」の例では、通信システム２は、ここではタブレット３６である、第三者ユーザ（非当事者ユーザ）と関連付けられた第三者のモバイル通信装置６２をさらに備えてもよく、第三者のモバイル通信装置６２はスキャンビーム６０を用いて外部に見える選択されたメッセージ８をスキャンすることができる。ある実施形態では、このようなスキャンは、既にシステム内に存在する１または複数の様々な装置と、第三者のモバイル通信装置６２の間におけるリンクを確立することを含んでもよい。また、このようなスキャンは、第三者のモバイル通信装置６２（またはこのような装置のユーザ、所有者など）に対して報酬を提供してもよい。また、「共有」６４はモバイル通信装置４に設置された共有出力装置で、または必要に応じた方法で開始されてもよい。「共有」６４は任意の所望の情報を含むことができ、例えば、モバイル通信装置４から第三者のモバイル通信装置６２へと、外部に見える選択されたメッセージ８のコピーまたはファクシミリを伝送し、その結果、第三者のモバイル通信装置６２自体が外部に見える選択されたメッセージ８を表示し、出資者または他の発信元から報酬を受領する。「共有」６４は、第三者のモバイル通信装置６２（またはこのような装置のユーザ）に、例えば、広告または他の外部に見える選択されたメッセージ８に関するコードまたはＵＲＬをアップロードする、または広告主の製品またはサービスを購入するなどの、さらなる行動を取るよう後押しをすることも含む。モバイル通信装置４のユーザ４０に対する報酬１８は、ユーザのモバイル通信装置４からオファーが取得されたとき、第三者ユーザまたは他の組織などによって履行される。パーティ間での相互作用によって展開された、またはそこから生まれた情報、もしくはパーティ間で履行された情報が集積されてもよい。当該集積は、例えば、アグリゲータ（情報集積者）のウェブサイト６８で、またはモバイル通信装置４内部で、もしくは必要に応じたやり方で行われてもよい。
【００２２】
図３は、本明細書で議論されているシステム、方法などを実施する１つの実施形態のフロー図である。図３では以下が説明されている。
１００：例えばウェブ上で、またはモバイル装置を使用して、モバイル装置のユーザアカウントが設定および起動される。
１０２：本明細書中のシステムおよび方法を実施するアプリケーションがモバイル装置にアップロード（送信）され、保存される。
１０４：取り付けられた／内蔵されたＮＦＣチップに関連付けられた（ａｓｓｏｃｉａｔｅ）ケースまたは接着剤が、ユーザのモバイル通信装置に取り付けられるか、または関連付けられる。代替的には、外部に見える選択されたメッセージを含むディスプレイ画面が起動されてもよい。
１０６：所定の時間間隔、またはランダムな時間において、または必要に応じたやり方で、アプリケーションは、モバイル通信装置のＮＦＣ無線機を含む、取り付けられた、または関連付けられたＮＦＣチップ、または他の表示追跡装置の位置を特定しようと試みる。
１０８：アプリケーションはＮＦＣチップの位置を特定できたか。または、外部に見える選択されたメッセージが表示されたか／表示されていることを確認する。
ＮＯ１１０の場合、イベントがモバイル装置１１２に保存される。
ＹＥＳ１１４の場合、アプリケーションはすべての必要な情報（例えば時間、日付、場所、電話機の配置／向きなどを捕捉する。
１１８：次いで、結果がバッチ処理で、またはリアルタイムのレポートで送信される。
バッチ処理１２０の場合、所定の時間間隔が経過するまで、またはデータが１２２で呼び出されるまで、モバイル通信装置に保存される。
リアルタイム１２４の場合、有線または無線接続１２６を介して、ウェブサイトにできるだけ速やかに送信される。
１２８：次に、ウェブサイトまたは他の保存場所は、必要に応じて閲覧およびソート可能なデータベースにデータを保存する。
１３０：それぞれの必要なアカウントに関して構成されたルールに基づいて、手数料が支払われ、Ａ／Ｐ（支払）請求書が送信される。
【００２３】
本明細書中の態様および実施形態の議論に戻ると、外部に見えるケーシングは、例えば外部に見える芸術的なデザインなどの選択されたメッセージをその表面に含む。このようなメッセージの例は、例えば、ロゴ、ブランド名、ＵＲＬ、ＵＰＣコードなどを含む。選択されたメッセージは一般に認識されるアイテム、または個別のモバイル通信装置またはサービス／製品を特定する個別化されたシンボルであってもよい。ケーシングがモバイル通信装置に取り外し可能に、または恒久的に取り付けられ、方法およびシステムは、接触センサ、Ｂｌｕｅｔｏｏｔｈ（登録商標）、近距離無線通信、または受動システムもしくは能動システム（ｐａｓｓｉｖｅ  ｏｒ  ａｃｔｉｖｅ  ｓｙｓｔｅｍ）のような近接センサなどの通知機構をさらに提供することをさらに含んでもよい。当該通知機構はケーシングまたは広告機構をモバイル通信装置から分離することで、隔てられた第三者の出資者に対して通知を生じさせる。通知は、このような分離と同時に生じるか、または、例えば事前に設定された間隔で、もしくは選択されたメッセージの過去の消失記録などにより、必要に応じて提供されてもよい。本明細書で使用されている「受動もしくは能動システム」は、独立して近接信号を送信する代わりに、例えば選択されたメッセージとそのモバイル通信装置との近接、といった、センサ／取り付けられたアイテムの、モバイル通信装置に対する近接を確認する（または確認しない）ことを依頼する問い合わせ装置からの「ｐｉｎｇ」に応答する近接センサを意味している。このような装置は、内蔵型の電源を有する必要がない。「能動センサシステム」は独立して近接信号を問い合わせ装置に送信する近接センサを意味しており、つまり、能動センサシステムは独自の信号を送信し、独立した電源を有してもよい（または、モバイル通信装置用の電源といった、局所で利用可能な電源を活用することもできる）。能動センサシステムは、センサ／モバイル通信装置に取り付けられたアイテムの近接を確認する（または確認しない）ことを依頼する、問い合わせ装置からの「ｐｉｎｇ」に応答してもよい。
【００２４】
「ホーム」のモバイル通信装置の「近接」した場所にある選択されたメッセージに関して、選択されたメッセージは、モバイル通信装置を見ている個人が、通常、モバイル通信装置に取り付けられた物理的アイテムによって視覚を邪魔されることなく可読でなければならない。したがって、典型的には、本明細書で使用される「近接」は、選択されたメッセージがモバイル通信装置に物理的に接触するか、または、少なくとも約１／２インチ、１インチ、２インチ、３インチ、または６インチ以内、もしくは約１フィート、２フィート、または３フィート以内であることを意味している。
【００２５】
選択されたメッセージの存在／消失が検知されてもよく、例えば、場合によって定期的、またはスケジュールに従って、選択されたメッセージと通信しようとする／選択されたメッセージを検知しようとすることにより、選択されたメッセージ（または選択されたメッセージと関連付けられた装置）の存在を確認する試みを行うアプリケーションまたは電話機上の他の装置を介して、検知されてもよい。言い換えると、選択されたメッセージの存在の確認は、選択されたメッセージ（選択されたメッセージそのものも含む）と隣接するかまたは接続している装置、および／またはモバイル通信装置、もしくは近接を実証するための他の適したシステムのいずれかによって開始されてもよい。
【００２６】
ある実施形態では、方法およびシステムは、モバイル通信装置のユーザ、または他の指定された人物または事業体が、外部に芸術的なデザイン／ロゴなどを表示することに対する報酬を受け取るように構成されている。このような報酬はオファーに関するユーザによる履行、または、選択されたメッセージの表示から利益を得る事業体、製品またはサービスを販売する無関係の小売業者、商標権所有者などにより利用されるディスカウントを含むが、これらに限定されない。また、方法およびシステムは、分離されたことの通知が起動されることで、ユーザへの報酬を減額するように構成することができる。つまり、報酬が減額、除外されることが可能であり、負の報酬が存在してもよい（すなわち、ユーザが出資者の第三者に支払う）。例えば、ユーザが一定期間、選択されたメッセージを除去することを希望した場合、このようなユーザに提供される報酬は、非接続／非接着時間に比例して減額される可能性がある。さらに、携帯電話ケース表面で選択されたメッセージが表示される場合、分離の状態が望ましい時間よりも短ければ、通知の起動を控えるように構成することができる。例えば、電話機を水中に落としてしまった後にケースを取り外し、電話機を乾かす場合などである。このような、動作のないイベントは、例えば、約３０秒、１分、２分、５分、１０分、１５分、２０分または３０分などの、望ましい時間長さで一時的に定められてもよい。
【００２７】
近接性の検出は、例えば、モバイル通信装置が選択されたメッセージと分離された瞬間に行われてもよい。この場合、選択されたメッセージとの一定の、または極めて頻繁な通信を要する可能性があり、ある実施形態では電池残量の問題が生じる。他方、必要に応じてモバイル通信装置や近接センサ上のアプリケーション（アプリ）を介して発生する、定期的な、スケジュール化された、および／またはランダム化された近接検出を介して検証されてもよく、この場合、このような検証の間にエネルギーを使用しなくて済む。
【００２８】
このような近接センサまたはシステムの例は、例えば、Ｂｌｕｅｔｏｏｔｈセンサ、ＲＦＩＤチップ、近距離無線通信システムなどの受動および能動装置の両方を含む、任意の適切な装置またはシステムを含んでいる。また、このようなシステムはモバイル通信装置上のアプリケーション（アプリ）を含んでもよい、および／またはそれらを介して実行されてもよい。このようなセンサは外側ケーシングに取り付け、内蔵、または挿入されてもよく、あるいは接着材料または必要に応じたやり方で固定されてもよい。このようなセンサは、選択されたメッセージの存在、消失、近接などを、第三者である出資者と通信する。上記は、例えばモバイル通信装置上のアプリケーション（アプリ）、または、外側ケーシングに取り付けられるか、物理的に近接した通信装置によって、無線もしくは有線接続などを介して実施されてもよい。ある実施形態では、例えば、ケースまたは接着材料がスマートフォンにまだ近接しているという理由で、スマートフォンまたは他の通信装置がＲＦＩＤチップまたは他のタイプの近接表示システムから情報を受信し、選択されたメッセージがまだ表示されていることを確認することができる。上記はスマートフォンのアプリケーション、またはセンサを介して、有線または無線接続を通じて発生される。
【００２９】
必要に応じて、センサまたはモバイル通信装置に関連付けられた他の装置もしくはシステムは、第三者である出資者に対して、他の情報を報告してもよい。当該他の情報は、例えばモバイル通信装置の光への露出、動作、位置、または配置（例えばモバイル通信装置が背面／正面／側面のいずれを下にしているか）などの情報である。上記の結果、選択されたメッセージの露出の品質が、例えば、装置が存在している位置などに基づいて概算される。
【００３０】
また、ディスプレイ画面または表示プロジェクタ（例えばフラットディスプレイやホログラフィックディスプレイ）のような、モバイル通信装置の、外部に面したディスプレイ要素上に選択されたメッセージを表示するために、電子／デジタル装置が提供されてもよい。次いで、比較可能な（ｃｏｍｐａｒａｂｌｅ）トラッキング、通知など、および、報酬を利用してもよい。このような実施形態では、投影された画像はモバイル通信装置から６フィート３インチよりも遠くに離れていてもよく、実際はプロジェクタが届く限りの距離を設定してもよい。
【００３１】
ある実施形態では、本プロセスに関する方法、システムなどの使用により、広告主が、外部に表示されるメッセージが少なくとも装置上（ケース、接着材料またはディスプレイ画面のいずれかに）に表示されているか、および、必要に応じて、今現在表示されているかを確認するとともに、表示されていた位置、モバイル装置の配置、および表示時間を確認することを可能にする。
【００３２】
広告の場合、選択されたメッセージは、例えばマーケティングブランド、ＱＲコード（登録商標）もしくはＵＰＣコード、もしくは他のタイプのコード、ＵＲＬ、クーポン、または広告される企業もしくは製品／サービスを特定する他の画像もしくはメッセージであってもよい。また、上記は広告主のロゴなどがモバイル装置上に／モバイル装置によって、まだ取り付けられているか、接着されているか、物理的に近接しているか、接続されているか、または表示されているか検証することもできる。この確認により、広告主は、広告主のロゴ、マーケティングブランド、クーポンまたは他の画像を表示することと交換に、モバイル通信装置などのユーザに手数料を支払うことを可能にする。さらに、外部に見える選択されたメッセージに基づいて開始または発生される指定された動作と交換に、報酬が支払われてもよい。（例えば可視的にスキャニングすることによる、または他の共有機構による）システムを介して、他のパーティと共有されるオファーなどの場合、例えば、ユーザのモバイル通信装置から取得されたオファーが履行されたときに、手数料がモバイル通信装置の所有者、または彼もしくは彼女が指定するパーティに支払われてもよい。
【００３３】
必要に応じて、情報を収集する広告主または他の第三者である出資者は、ユーザのモバイル通信装置からディスプレイデータ、接続／切断データなどを集積し、それを、例えばリアルタイムで、または事前に設定した（スケジュールされた）間隔、またはランダムな間隔で、広告主に対して報告するか、配信することもできる。第三者である出資者は、データを集積し、次いで、モバイル装置の所有者もしくは他のユーザ、またはユーザが接触する人物および事業体に対する広告を標的とする（ｔａｒｇｅｔｔｉｎｇ、ねらう）などの、他の目的のために、このような集積されたデータを使用してもよい。上記は、例えば、訪問した場所および／またはユーザから依頼された情報（例えば調査やアンケート）などに基づいてもよい。第三者である出資者はユーザのモバイル通信装置またはユーザに対して、外部に見える選択されたメッセージの視認性を確認するよう依頼することもできる。上記は、例えば、ユーザに、メッセージが判読可能であること、および／またはモバイル装置にまだ取り付けられていることを検証する画像または他の形態を提供するように要求することにより実現可能である。第三者である出資者は集積されたデータを外部の第三者に伝送してもよい。
【００３４】
第三者である出資者はデータを集積し、次いでモバイル装置の所有者または他のユーザ、もしくはユーザが接触する人物および事業体に対する広告を標的とするなどの他の目的のために、このような集積されたデータを使用してもよい。上記は、例えば、訪問した場所および／またはユーザから依頼された情報（例えば調査やアンケート）などに基づいてもよい。第三者である出資者はユーザのモバイル通信装置またはユーザに対して、外部に見える選択されたメッセージの視認性を確認するよう依頼することもできる。上記は、例えば、ユーザに、メッセージが判読可能であること、および／またはモバイル装置にまだ取り付けられていることを検証する画像または他の形態を提供するように要求することにより実現可能である。
【００３５】
本出願は、本明細書中のシステムおよび装置の多様な要素を構成する方法に関し、当該方法はこのような要素からシステムおよび装置そのものを構成することを含み、および、本出願は、システムおよび装置の多様な要素を使用する方法に関し、当該方法は例えば、ロゴ表示システムをモバイル装置に適用することと、ロゴ表示システムの多様な要素を操作することと、モバイル装置からロゴ表示システムを部分的または完全に除去することと、または必要に応じたことを含む。
【００３６】
本出願中では、発明の詳細な説明および添付図面を含む様々な態様、特徴および実施形態が明記されている。明示的に別段の定めをした場合を除き、すべての実施形態、態様、特徴などは、望ましいやり方で混合、適合、組み合わせ、および順序変更がなされてもよい。
【００３７】
本明細書中で使用される用語は、文脈または定義が明確に示していない限り、通常の意味に従って使用される。また、明示的に示されていない限り、本明細書では「または」の使用は「および」を含み、その逆も然りである。非限定的用語は、明示的に述べられていない、または文脈が明確に示していない限り、限定と解釈されるべきではない（例えば、「含む」、「有する」および「備える」は全般に「限定を伴わずに含む」を表している）。「ａ」、「ａｎ」および「ｔｈｅ」のような、請求項中を含めた単数形は、明示的に述べられていない、または文脈が明確に示していない限り、複数形を含む。
【００３８】
本装置、システムおよび方法などの発明の範囲は、ミーンズプラスファンクションおよびステッププラスファンクションの概念の両方を含んでいる。ただし、請求項は、単語「ｍｅａｎｓ（手段）」が請求項内で明確に記載されていなければ、「ミーンズプラスファンクション」を指していると解釈されるべきではない。請求項は、単語「ｍｅａｎｓ」が請求項内で明確に記載されていれば、「ミーンズプラスファンクション」を指していると解釈されるべきである。同様に、請求項は、単語「ｓｔｅｐ（工程、ステップ）」が請求項内で明確に記載されていなければ、「ステッププラスファンクション」を指していると解釈されるべきではない。請求項は、単語「ｓｔｅｐ」が請求項内で明確に記載されていれば、「ステッププラスファンクション」を指していると解釈されるべきである。
【００３９】
前述の内容から分かるように、具体的な実施形態が、例示のために本明細書中で説明されているものの、説明の主旨および発明の範囲から逸脱せずに様々な修正がなされてもよい。したがって、システムおよび方法などは、このような修正、および、本明細書中に記載された発明の主題のすべての並べ替えおよび組み合わせを含んでいる。そして、システムおよび方法などは、別記の請求項、または本明細書中の説明および図面において十分な裏付けを有する他の請求項を除き、非限定的である。
【図１】
2020504364.tif 000003
【図２】
2020504364.tif 000004
【図３】
2020504364.tif 000005
【国際調査報告】
2020504364.tif 000006
2020504364.tif 000007
2020504364.tif 000008
2020504364.tif 000009